(57)【要約】【課題】広告情報を効率的に収集して提供する。【解決手段】所定の用紙を用いて作成された帳票に記入した軌跡を軌跡情報として取得するデジタルペン２０と、前記デジタルペン２０から前記軌跡情報を取得する携帯電話２１と、前記携帯端末２１からネットワーク９を介して前記軌跡情報を取得する管理サーバ１０とを含んで構成される広告システムにおいて、管理サーバ１０は、帳票のエリア毎に、そこに記入される軌跡を、文字情報として取り扱うか、または画像情報として取り扱うかを示す属性を定義した帳票定義情報を備え、前記帳票定義情報の属性に基づいて、ネットワーク９を介して取得した前記軌跡情報を識別する。管理サーバ１０は、前記識別の結果、画像情報として取り扱うエリアの軌跡情報に対し画像変換を行うことで画像情報を作成し、前記作成した画像情報を配信する。【選択図】図１
2008204363.tif 000002
【特許請求の範囲】
【請求項１】
所定の用紙を用いて作成された帳票に記入した軌跡を軌跡情報として取得する電子ペンと、前記電子ペンから前記軌跡情報を取得する携帯端末と、前記携帯端末からネットワークを介して前記軌跡情報を取得する管理サーバとを含んで構成される広告システムにおいて、
前記管理サーバは、
帳票のエリア毎に、そこに記入される軌跡を、文字情報として取り扱うか、または画像情報として取り扱うかを示す属性を定義した帳票定義情報を含んで記憶した記憶部と、
前記ネットワークを介して取得した軌跡情報を、前記帳票定義情報の前記属性に基づいて識別し、文字情報として取り扱うエリアの軌跡情報について文字認識した結果と、画像情報として取り扱うエリアの軌跡情報とを前記記憶部に格納する軌跡識別部と、
前記画像情報として取り扱うエリアの軌跡情報に対し画像変換を行うことで画像情報を作成する画像情報作成部と、
前記作成した画像情報を配信する情報配信部と、
を備えることを特徴とする広告システム。
【請求項２】
前記管理サーバの前記情報配信部は、
前記作成した画像情報をインターネットサーバへ送信し、
前記インターネットサーバは、前記受信した画像情報をインターネット上に公開する
ことを特徴とする請求項１に記載の広告システム。
【請求項３】
前記管理サーバの前記情報配信部は、
前記作成した画像情報をメールサーバへ送信し、
前記メールサーバは、前記受信した画像情報を含むメールを生成し、予め登録された配信先へ配信する
ことを特徴とする請求項１に記載の広告システム。
【請求項４】
所定の用紙を用いて作成された帳票に記入した軌跡を軌跡情報として取得する電子ペンと、前記電子ペンから前記軌跡情報を取得する携帯端末と、前記携帯端末からネットワークを介して前記軌跡情報を取得する管理サーバとを含んで構成される広告システムにおいて、
前記管理サーバは、
帳票のエリア毎に、そこに記入される軌跡を、文字情報として取り扱うか否かを示す属性を定義した帳票定義情報を含んで記憶した記憶部と、
前記ネットワークを介して取得した軌跡情報を、前記帳票定義情報の前記属性に基づいて識別し、文字情報として取り扱うエリアの軌跡情報について文字認識した結果を前記記憶部に格納する軌跡識別部と、
前記文字認識した結果を配信する情報配信部と、
を備えることを特徴とする広告システム。
【請求項５】
前記携帯端末とは、携帯電話である
ことを特徴とする請求項１または請求項４に記載の広告システム。
【請求項６】
店舗のレジスタと、前記レジスタに情報送信可能な情報識別コード読取装置と、前記レジスタとネットワークを介して接続され、前記店舗を利用する利用者毎の購買履歴情報を管理する管理サーバとを含んで構成される広告システムにおいて、
前記管理サーバは、
利用者を一意に識別する利用者コードを示す情報識別コードを埋め込んだメールを、前記利用者の所有する携帯端末へ送信する手段を備え、
前記情報識別コード読取装置は、
前記利用者の所有する携帯端末に表示される情報識別コードから読み取った利用者コードを、前記レジスタへ送信する手段を備え、
前記レジスタは、
前記情報識別コード読取装置から受信した利用者コードを、当該利用者の購買履歴情報と共に前記管理サーバへ送信する手段を備える
ことを特徴とする広告システム。
【請求項７】
所定の用紙を用いて作成された帳票に記入した軌跡を軌跡情報として取得する電子ペンから、携帯端末およびネットワークを介して前記軌跡情報を取得する広告方法であって、
コンピュータが、
帳票のエリア毎にそこに記入される軌跡を文字情報として取り扱うかまたは画像情報として取り扱うかを示す属性を定義した帳票定義情報に基づいて、前記ネットワークを介して取得した軌跡情報を識別し、文字情報として取り扱うエリアの軌跡情報について文字認識した結果と、画像情報として取り扱うエリアの軌跡情報とを記憶部に格納するステップと、
前記画像情報として取り扱うエリアの軌跡情報に対し画像変換を行うことで画像情報を作成するステップと、
前記作成した画像情報を配信するステップと、
を実行することを特徴とする広告方法。
【請求項８】
請求項７に記載の広告方法を、コンピュータに実行させることを特徴とするプログラム。
【請求項９】
所定の用紙を用いて作成された帳票に記入した軌跡を軌跡情報として取得する電子ペンから、携帯端末およびネットワークを介して前記軌跡情報を取得する管理サーバであって、
帳票のエリア毎に、そこに記入される軌跡を、文字情報として取り扱うか、または画像情報として取り扱うかを示す属性を定義した帳票定義情報を含んで記憶した記憶部と、
前記ネットワークを介して取得した軌跡情報を、前記帳票定義情報の前記属性に基づいて識別し、文字情報として取り扱うエリアの軌跡情報について文字認識した結果と、画像情報として取り扱うエリアの軌跡情報とを前記記憶部に格納する軌跡識別部と、
前記画像情報として取り扱うエリアの軌跡情報に対し画像変換を行うことで画像情報を作成する画像情報作成部と、
前記作成した画像情報を配信する情報配信部と、
を備えることを特徴とする管理サーバ。
【発明の詳細な説明】
【技術分野】
【０００１】
本発明は、広告情報を作成する技術に関する。
【背景技術】
【０００２】
野菜や魚等の産地においては、その生産者が、産直販売所等で野菜や魚等の直接販売を行うことがある。この産直販売所の販売を促進させる方法として、利用者（客）に対して、産直販売所のイベント情報やお買い得情報等の販売促進情報（広告情報）を提供することで積極的に店舗へ誘客することが考えられる。
【０００３】
従来、広告活動の例として、新聞広告や折り込みチラシ、テレビコマーシャル、チラシを配布する方法がある。しかしながら、これらの方法では、広告料や印刷費、人件費がかかるため、小規模である産直販売所にとって実施は難しい。
また、産直販売所で扱う商品の多くは生鮮食料品である。そのため、産直販売所の広告活動は、情報を多くの利用者にリアルタイムで届けることが必要となる。
【０００４】
一方、近年、入力デバイスとしてデジタルペン（電子ペン）が利用されており、その代表的なものとして、Ａｎｏｔｏ（登録商標）コーポレーションにより製造される「Ａｎｏｔｏ（登録商標）ペン」等が知られている。このデジタルペンを商業に利用した例としては、特許文献１や特許文献２等が知られている。
【特許文献１】特開２００６−２３５７９６号公報
【特許文献２】特開２００６−１９５６２４号公報
【発明の開示】
【発明が解決しようとする課題】
【０００５】
一般的に、多くの人々に即時性のある情報を配信する場合には、インターネットのホームページ上に情報を掲載したり、メール等で通知したりする方法が考えられる。
しかしながら、産直販売所の店舗の職員の多くは高齢者であり、コンピュータの操作に慣れていない。そのため、広告情報を収集する場合には、各産直販売所を管理する組合（本部）等の職員が各店舗を巡回して各店舗の広告情報を収集したり、各店舗からファクシミリや電話、郵送等の手段で受け取ったりしており、広告情報を収集するのに大変な手間を要している。さらに、収集した情報を電子化して提供する作業も多大な時間と手間を必要とするため、即時性のある広告活動を行うことができなかった。
【０００６】
本発明は、前記した課題を解決し、広告情報を効率的に収集して提供する広告システム、広告方法、プログラム、およびそれに用いられる管理サーバを提供することを目的とする。
【課題を解決するための手段】
【０００７】
前記課題を解決するため、本発明における広告システムは、所定の用紙を用いて作成された帳票への書き込みにより軌跡情報を生成するデジタルペンから取得した軌跡情報を、携帯電話経由でネットワークを介して収集し、広告情報を作成することを特徴とする。さらに、広告情報を、電子情報で利用者に展開することを特徴とする。
その他の手段については、後記する実施の形態で述べる。
【発明の効果】
【０００８】
本発明によれば、広告情報を効率的に収集することが可能となる。さらに、広告情報を、電子情報で利用者に展開することができる。
【発明を実施するための最良の形態】
【０００９】
本発明を実施するための最良の形態（以下「実施形態」とする）を詳細に説明する。なお、本実施形態では、広告システムを適宜「システム」と省略して記載する。
【００１０】
（システム構成）
図１は、本発明に係る広告システムが適用される一実施形態の構成図である。
本実施形態における広告システムは、各産直販売所の店舗の販売を管理運営する協同組合や本システムを管理運営する機関等を示す本部に備えられる各装置、産直販売所の各店舗に備えられる各装置、前記各店舗の利用者が操作する携帯電話等から構成される。
【００１１】
本部は、本システムを実現するための管理サーバ１０、帳票を印刷するプリンタ１１、インターネット上に広告情報を掲載するＷＷＷサーバ（インターネットサーバ）１２、利用者へメールを配信するメールサーバ１３、本部の職員が管理サーバ１０を操作するためのパーソナルコンピュータである管理端末１４を備え、それらは所定の回線で接続される。なお、本部の職員が管理サーバを直接操作する場合には、管理端末１４は不要となる。管理サーバ１０の機能については、図２において詳細に説明する。
【００１２】
店舗は、産直販売所の店舗であり、複数存在することが考えられるが、図１では例として１つの店舗を記載している。
店舗は、店舗の職員が帳票に広告情報を記入する際に用いるデジタルペン（電子ペン）２０、デジタルペン２０で記入した軌跡情報を管理サーバ１０へ送信する携帯電話２１、産直販売所の利用者（客）の購買時に精算業務を行うレジスタ２２を備える。
【００１３】
デジタルペン２０は、図示しないが、通常のインクタイプのペンに加えて、帳票に印刷されたドットパターンを読み取るためのカメラ、記入時にデジタルペン２０に作用する筆圧を検出する圧電素子、カメラおよび圧電素子からのデータを処理して、記入により移動するペン先の位置をドットパターンと関連付け、軌跡情報として作成する処理装置、作成された軌跡情報の蓄積等を行うメモリ、携帯電話２１へ軌跡情報を送信する伝送装置、デジタルペン２０に電源を供給する電池等を備える。
【００１４】
デジタルペン２０に備えられる伝送装置は、短距離無線伝送技術の一種であるBluetooth（登録商標）等の通信プロトコルに従い、所定の周波数帯域の電波を利用して情報を送受信する装置が挙げられるが、その他の無線技術や、無線ＬＡＮ（Local Area Network）、あるいは有線通信技術の通信プロトコルに従って情報を送受信する装置であってもよい。
【００１５】
携帯電話２１は、デジタルペン２０で記入した軌跡情報を受信して、ネットワーク９を介して管理サーバ１０へ送信するためのものであり、図示しないが、演算処理等を行う際に用いられる記憶手段としての記憶部と、前記演算処理等を行う演算処理部と、通信を行う際に使用するネットワークインタフェースとを少なくとも備える。
この携帯電話２１の記憶部には、自身の記憶部の特定箇所に保存されたファイルを管理サーバ１０に送信する機能をもつプログラムが、予め設定されている。携帯電話２１の演算処理は、ＣＰＵによって構成される演算処理部が、記憶部上のプログラムを実行することで、実現される。
さらに、携帯電話２１の記憶部には、各端末を固有に識別するための端末番号が予め記憶されている。携帯電話２１は、軌跡情報を管理サーバ１０に送信する際に、この端末番号もあわせて送信するものとする。
【００１６】
利用者は、産直販売所の店舗を客として利用する者である。利用者は、自身の所有する携帯電話３０によって、各店舗の広告情報を取得する。
携帯電話３０は、携帯電話２１と同様に、図示しない演算処理部と、ネットワークインタフェースと、画面等の表示部と、入力キーやカメラ等の入力部とを少なくとも備えて構成される。この携帯電話３０は、カメラ等の入力部から入力された情報識別コードとしての例えば二次元コードを、復号化する機能を備える。
【００１７】
本部の管理サーバ１０と、店舗の携帯電話２１と、利用者の携帯電話３０とは、一般公衆回線等のネットワーク９で通信可能に接続されている。
【００１８】
（処理概要）
まず、本部のプリンタ１１は、ドットパターンが印刷されたドットパターン紙上に、所定のフォーマット（罫線や枠、項目名等）を重ね印刷することで、帳票を生成する（Ｓ０１：帳票生成）。ここで用いられるドットパターン紙は、紙面を所定サイズの格子に区切った場合に、その位置を特定できるようにドットが配置されており、このドットパターンの情報を用いることで、帳票上におけるデジタルペン２０のペン先の位置を特定することができる。
【００１９】
ステップＳ０１で印刷された帳票は、産直販売所の店舗へ配布される。
帳票に記入するデジタルペン２０の記入者（例えば、産直販売所の職員）は、帳票上面に重ね印刷されているフォーマット（罫線や枠、項目名等）から記入位置等を特定して、イベント情報やお買い得情報等を記入する。これにより、デジタルペン２０は、自身に内蔵されたカメラで帳票のドットパターンを撮影し、このドットパターンからデジタルペン２０の移動軌跡を検出し、記入者によって記入された記入データを電子データの軌跡情報として取得する。
【００２０】
詳細に説明すると、デジタルペン２０は、記入者がデジタルペン２０により帳票上に文字等を書く際にペン先に与えられる圧力、即ち筆圧を検出し、この筆圧データを処理装置へ供給し、処理装置は圧力センサから与えられる筆圧データに基づいてカメラのスイッチオン／オフの切替等を行う。デジタルペン２０は、所定値以上の筆圧が検出されたときに、記入者が記入を開始したと判定して、カメラを作動させる。カメラは、帳票上のドットパターンを読み取り、その情報を処理装置に供給する。処理装置は供給された情報から、帳票上でのデジタルペン２０のＸ／Ｙ座標を算出する。
【００２１】
デジタルペン２０の処理装置は、算出したＸ／Ｙ座標を、タイムスタンプ（時間情報）と関連付け、時系列の軌跡情報として記憶部に記憶する（Ｓ０２：軌跡情報記憶）。そして、デジタルペン２０は、記憶した軌跡情報を記入者の指示により携帯電話２１へ送信する。その際には、オブジェクト交換プロトコル（ＯＢＥＸ）等の通信プロトコルを用いる。
なお、本発明の技術は、記入者の記入した軌跡情報を記憶可能な装置であれば、デジタルペンに限らず適応可能である。
【００２２】
携帯電話２１は、デジタルペン２０から受信した軌跡情報および自身の端末番号を、ネットワーク９を介して本部の管理サーバ１０に送信する（Ｓ０３：情報送信）。この送信のタイミングは、軌跡情報を取得したら直ちに送信してもよいし、記入者の指示によってもよいし、携帯電話２１が予め備えるプログラムによって、定期的に行われることとしてもよい。
【００２３】
管理サーバ１０は、ネットワーク９を介して軌跡情報および端末番号を受信し、軌跡情報を自身の記憶部１８に登録する（Ｓ０４：軌跡情報登録）。
【００２４】
ＷＷＷサーバ１２は、管理サーバ１０の軌跡情報から生成された画像情報を、インターネットのホームページに掲載する（Ｓ０５：情報掲載）。これにより、利用者はネットワーク９等を介して、ホームページ上に掲載された画像情報を携帯電話３０等で閲覧することができる。
【００２５】
一方、店舗のレジスタ２２は、メール配信登録用のＵＲＬ（Uniform Resource Locator）を示す二次元コードを利用者が買い物をした際のレシートに印刷する（Ｓ０６：二次元コード印刷）。店舗の職員は、精算時にレシートを利用者に渡す。利用者は、携帯電話３０でレシートに印刷された二次元コードを読み取る。それにより、ネットワーク９を経由して利用者登録ページに接続し（Ｓ０７：二次元コード読取送信）、利用者情報を管理サーバ１０へ送信する。
【００２６】
本部の管理サーバ１０は、受信した利用者情報を自身の記憶部１８に登録する（Ｓ０８：利用者情報登録）。これにより、管理サーバ１０は利用者情報を管理する。
本部のメールサーバ１３は、管理サーバ１０内の利用者情報と、軌跡情報から生成された画像情報とを利用して、画像情報が掲載されたメール（広告メール）を作成し、利用者の携帯電話３０へ送信する（Ｓ０９：情報配信）。これにより、利用者は、メールサーバ１３から送信されてきた広告メールを、携帯電話３０で確認することができる。
【００２７】
（管理サーバの機能）
次に、図１を参照しつつ、図２を用いて、本システムに用いられる管理サーバの機能を説明する。図２は、本実施形態における管理サーバ１０の機能の一例を示す図である。
【００２８】
管理サーバ１０は、店舗の携帯電話２１からネットワーク９を介して送信される軌跡情報について識別等の処理を行う演算処理部１６、前記演算処理部１６の処理の際に一時的にデータを記憶するＲＡＭ１７、記憶手段としての記憶部１８、外部との通信を司る送受信部１５等から主に構成され、例えばサーバ用コンピュータにより実現される。なお、ネットワーク９を介した携帯電話２１や利用者の携帯電話３０、本部のプリンタ１１、ＷＷＷサーバ１２、メールサーバ１３との通信においては送受信部１５を介し、以下その説明を省略する。
【００２９】
管理サーバ１０の記憶部１８には、帳票生成プログラム１８１、軌跡識別プログラム１８２、掲載期間登録プログラム１８３、情報配信プログラム１８４、利用者情報登録プログラム１８５が格納される。これらの各プログラム１８１〜１８５は、管理サーバ１０のＲＡＭ１７等に展開されて演算処理部１６が実行することで、各手段として機能する。
【００３０】
さらに、記憶部１８には、帳票に定義された情報を記憶する帳票定義データベース（以下、「ＤＢ」と適宜記載）１９１、店舗情報ＤＢ１９２、端末番号ＤＢ１９３、軌跡情報ＤＢ１９４、利用者情報ＤＢ１９５が格納される。なお、各ＤＢ１９１〜１９５は、図２では管理サーバ１０の記憶部１８内に備えられる構成となっているが、全てもしくはいずれかが管理サーバ１０外に備えられ、所定の伝送線等により接続されてもよい。
各プログラム１８１〜１８５および各ＤＢ１９１〜１９５の詳細な説明は、後記する。
【００３１】
（管理サーバ処理フロー）
図３は、本実施形態における広告システムにおける管理サーバ１０の処理のフローである。図３を参照し、適宜図１〜図２を参照しながら、管理サーバ１０の詳細な処理について説明する。
【００３２】
まず、本部（図１参照）において、管理サーバ１０の帳票生成プログラム１８１（図２参照）は、帳票定義ＤＢ１９１および店舗情報ＤＢ１９２を参照して、帳票をドットパターン紙に重ね印刷することで、帳票を生成する（Ｓ１０：帳票生成処理）。
【００３３】
図４は、デジタルペン専用紙であるドットパターン紙に、帳票用のフォーマットを重ね印刷する様子を模式的に示す図である。
なお、本実施形態では、店舗名および店舗コードは予めフォーマットとして帳票に印刷されているものとする。それにより、各店舗の記入の手間を省き、かつ、記入漏れや記入ミスを防ぐことができる。つまり、各店舗では、掲載期間と手書き記入領域を記入すればよいフォーマットとなっている。
【００３４】
図５は、帳票定義ＤＢ１９１に格納される帳票定義テーブル（帳票定義情報）の例を示す図である。帳票定義テーブルは、エリアを一意に識別するためのエリアＩＤ（IDentification）、各々のエリアの大きさを座標（x1,y1）−（x2,y2）で示すエリア座標、境界線種、他のＤＢから情報を読込んで印刷する場合の読込元を示すＤＢ、印刷する際に固定の情報として扱う初期表示、エリアの属性を示すエリア属性、等のフィールドを有する。なお、帳票定義テーブルのエリアＩＤ、エリア座標、境界線種、ＤＢ、初期表示の情報は、ステップＳ１０の帳票生成処理時に利用する。エリア属性フィールドの情報は、ステップＳ３０で後記する識別処理時に利用する。
【００３５】
帳票定義テーブルにおいて、エリア座標は、左項の２つの値が領域の左上隅の座標（x1,y1）を示し、右項の２つの値が領域の右下隅の座標（x2,y2）を示す。また、エリア属性は、「文字」であれば軌跡の識別処理時に文字列用の領域として取り扱うことを示し、「画像」であれば軌跡の識別処理時に画像用の領域として取り扱うことを示し、「見出」であれば帳票生成時に見出しとして取り扱うことを示す。
【００３６】
図６は、店舗情報ＤＢ１９２に格納される店舗情報テーブルの例を示す図である。
店舗情報テーブルは、店舗を一意に識別する店舗コード、店舗名称、当該店舗の営業時間、当該店舗の所在地、当該店舗の緯度経度等の位置情報、当該店舗の広告情報の掲載期間、等のフィールドを有する。図５に例示する帳票定義テーブルのＤＢフィールドで、例えば＜店舗情報ＤＢ／店舗名称＞と示されていた場合には、店舗情報ＤＢ１９２に格納される店舗情報テーブルの店舗名称の情報を一行ずつ読み込んで印刷し、＜店舗情報ＤＢ／店舗コード＞と示されていた場合には、同様に店舗コードの情報を１行ずつ読み込んで印刷する。これにより、図７に例示されるような帳票のレイアウトとして印刷される。
なお、店舗情報テーブルの掲載期間フィールドは、初期値としてnull値が入力されており、後記するステップＳ４０の掲載期間登録処理において情報が登録される。この詳細な説明は後記する。
【００３７】
図７は、帳票のレイアウト例を示す図である。ここで、図７に符号として示されるエリアＡ〜Ｋは、図５の各行に示される符号Ａ〜Ｋに対応している。例えば、図７のエリアＡは、図５に符号Ａで示されるエリア座標「（10,10）-（20,30）」、境界線種「−（null）」、ＤＢ「−（null）」、初期表示「“店舗名：”」の情報に基づいて印刷されたものである。また、図７のエリアＢは、店舗情報ＤＢ１９２の店舗情報テーブルの店舗名称を読み込んで印刷されている。他のエリアも同様である。
【００３８】
ステップＳ１０の帳票生成処理によって生成された帳票は、産直販売所の各店舗に配布される。各店舗の職員等は、配布された帳票に、各店舗のデジタルペン２０を用いて、イベント情報やお買い得情報等の広告情報と、この広告情報の掲載期間を記入する。
【００３９】
図８は、ある店舗に配布された帳票の、広告情報と掲載期間の記入例を示す図である。店舗においてデジタルペン２０を用いて、掲載期間と、図７のエリアＫで示す広告情報とが記入されると、デジタルペン２０は、これらの軌跡情報を携帯電話２１に送信する。そして、携帯電話２１は、受信した軌跡情報、および自身に格納されている端末番号を、ネットワーク９を介して管理サーバ１０に送信する。
【００４０】
図３に戻って、管理サーバ１０は、携帯電話２１から送信されてきた、端末番号および軌跡情報を受信する（Ｓ２０：情報受信）。
【００４１】
続いて、管理サーバ１０の軌跡識別プログラム１８２は、受信した情報について識別処理を行う（Ｓ３０：識別処理）。まず、管理サーバ１０は、受信した情報のうち、各店舗で使用されている携帯電話２１を固有に識別する番号を示す端末番号と、自身の記憶部１８に記憶されている端末番号ＤＢ１９３とを照合して、店舗を特定する。
【００４２】
図９は、端末番号ＤＢ１９３に格納される端末番号テーブルの例を示す図である。
端末番号テーブルは、産直販売所の各店舗で使用されている携帯電話２１を固有に識別する番号を示す端末番号、各々の携帯電話２１がどの店舗のものかを示す店舗コード、等のフィールドを有する。
【００４３】
軌跡識別プログラム１８２は、受信した端末番号と、端末番号テーブルの端末番号とを照合し、一致する端末番号から店舗コードを特定する。これによって、受信した情報がどの店舗の情報かを判別する。
【００４４】
続いて、軌跡識別プログラム１８２は、ステップＳ２０で受信した軌跡情報を、帳票定義ＤＢ１９１（図５参照）を参照して解析する。本実施形態では、図７における掲載期間の情報（例えば、エリアＧ，Ｈ，Ｉ，Ｊ等）は文字認識を行い、手書き記入領域（エリアＫ）の情報は、文字認識を行わずに画像情報として取り扱う。
【００４５】
つまり、まず、軌跡識別プログラム１８２は、ステップＳ２０で受信した軌跡情報のエリア座標と、帳票定義テーブルのエリア座標とを照合し、受信した軌跡情報のエリア属性が「画像」であった場合には、軌跡情報を軌跡情報ＤＢ１９４に格納する。
【００４６】
図８における手書き記入領域（エリアＫ）は、図５の帳票定義テーブルによるとエリア属性「画像」であるため、文字認識を行わず、画像情報として扱うエリアに相当する。そのため、軌跡識別プログラム１８２は、このエリアＫ内の軌跡情報を、軌跡情報ＤＢ１９４の軌跡情報テーブルに格納する。
【００４７】
図１０は、軌跡情報ＤＢ１９４に格納される軌跡情報テーブルの例を示す図である。
軌跡情報テーブルは、軌跡情報を送信してきた店舗を示す店舗コード、軌跡情報を一意に識別する軌跡ＩＤ、軌跡情報がデジタルペン２０に記録された日付および時刻（タイムスタンプ）、軌跡情報が記録されたＸ座標、Ｙ座標、等のフィールドを有する。
なお、本実施形態では、店舗毎の軌跡情報は、最新の情報のみ格納されるものとする。つまり、ある店舗から帳票１頁分の情報が送信され、軌跡情報として軌跡情報ＤＢ１９４に格納される際には、前回登録した当該店舗の軌跡情報を消去してから、新しい軌跡情報が格納されるものとする。
【００４８】
図３に戻って、掲載期間登録プログラム１８３は、文字認識を行うエリアに該当する軌跡情報（エリアＧ，Ｈ，Ｉ，Ｊ等）を、ＯＣＲ（Optical Character Reader）の技術を用いて文字認識し、文字情報として取得する。取得した掲載期間の情報は、店舗情報ＤＢ１９２の店舗情報テーブルの、当該店舗の掲載期間フィールドに登録する（Ｓ４０：掲載期間登録）。
【００４９】
なお、軌跡識別プログラム１８２は、ステップＳ２０で受信した軌跡情報を、軌跡情報ＤＢ１９４に登録してから、必要なエリアについて文字認識を行うこととしてもよい。その場合には、（文字認識を行う情報も含めた）全ての軌跡情報が軌跡情報ＤＢ１９４の軌跡情報テーブルに登録される。
【００５０】
続いて、管理サーバ１０の情報配信プログラム１８４は、情報掲載処理を行う（Ｓ５０：情報掲載処理）。
【００５１】
具体的には、情報配信プログラム１８４は、軌跡情報ＤＢ１９４の軌跡情報テーブルに格納されている軌跡情報を画像に変換して（画像情報作成）、店舗情報ＤＢ１９２の店舗コードおよび掲載期間の情報と共にＷＷＷサーバ１２へ送信する。ＷＷＷサーバ１２は、受信した情報に基づき、掲載期間の間、店舗コードに該当する店舗のホームページに、画像情報を広告情報として掲載する。
【００５２】
図１１は、ある店舗（お野菜いちば）のホームページに画像情報（広告情報）が掲載された例を示す図である。これによれば、産直販売所の店舗の職員がデジタルペン２０で記入した軌跡情報が、画像化された状態（符号１１０１参照）で表示されている。
【００５３】
また、情報配信プログラム１８４は、掲載期間の到来を契機として情報配信処理を行う（Ｓ５０：情報配信処理）。具体的には、情報配信プログラム１８４は、掲載期間の到来を契機として、軌跡情報ＤＢ１９４の軌跡情報テーブルに格納されている軌跡情報を画像情報に変換し（画像情報作成）、利用者情報ＤＢ１９５の利用者情報と共にメールサーバ１３へ送信する。メールサーバ１３は、受信した画像情報を掲載したメールを作成し、利用者へ配信する。
【００５４】
ここで、広告情報のメール配信を希望する利用者に、利用者情報を簡易に登録してもらう為に、以下のような方法をとることが考えられる。
まず、産直販売所の各店舗のレジスタ２２（図１参照）に、利用者情報を登録するためのホームページのＵＲＬを示す二次元コード（例えばＱＲコード（登録商標）等）を登録しておく。そして、レジスタ２２はこの二次元コードをレシートに印字し、店舗の職員はこのレシートを利用者に渡す。利用者は、自身の所有する携帯電話３０を用いてレシートに印字された二次元コードを読取ることで、簡易に利用者情報を登録するためのホームページに接続することができる。
【００５５】
図１２は、利用者が携帯電話３０を用いて利用者情報を管理サーバ１０に登録する際の、携帯電話３０に表示される画面例を示す図である。
【００５６】
利用者がレシートに印字された二次元コードを読み込み、接続を行うと、図１２（ａ）で示される画面が表示される。ここで、利用者が「端末認証番号を送信する」を選択すると、携帯電話３０に予め格納されている固有の端末認証番号が、ネットワーク９を介して管理サーバ１０へ送信される。
【００５７】
管理サーバ１０の利用者登録プログラム１８５は、端末認証番号を受信すると、携帯電話３０に図１２（ｂ）に示す画面を表示させる。
利用者が図１２（ｂ）に示す画面で、「利用者登録手続メール希望」を選択すると、メール希望情報が管理サーバ１０へ送信される。
【００５８】
管理サーバ１０の利用者登録プログラム１８５は、メール希望情報を受信すると、当該携帯電話３０から受信した端末認証番号をキーとして、携帯電話会社等から当該端末認証番号に対応するメールアドレスの情報を取得する。そして、取得したメールアドレスを宛先として、利用者登録手続のホームページの情報が記載されたメール（図１２（ｃ）参照）を送信する。
【００５９】
図１２（ｃ）に示すメールを受信した利用者は、「http://利用者登録手続ページ/」に接続する。それにより、管理サーバ１０の利用者登録プログラム１８５から、利用者登録手続画面（図１２（ｄ）参照）が携帯電話３０へ送信される。
【００６０】
利用者は、携帯電話３０に表示された図１２（ｄ）に示す画面から、広告情報を受信したい店舗を選択することができる。店舗を選択した後、図１２（ｅ）で「登録」を選択することで、希望店舗情報が管理サーバ１０へ送信される。管理サーバ１０の利用者登録プログラム１８５は、端末認証番号、メールアドレス、希望店舗等の利用者情報を、利用者情報ＤＢ１９５に記憶する。それにより、利用者情報登録手続が完了し、利用者登録プログラム１８５は、図１２（ｆ）の画面を携帯電話３０に表示させる。
【００６１】
図１３は、管理サーバ１０の利用者情報ＤＢ１９５に格納される利用者情報テーブルの例を示す図である。
利用者情報テーブルは、端末認証番号、利用者情報の登録時刻、メールアドレス、配信希望店舗数、店舗コード、等のフィールドを有する。
【００６２】
端末認証番号は、携帯電話毎に記憶されている携帯電話固有の識別番号であり、前記図１２（ａ）で説明したように、携帯電話３０から送信された情報である。
メールアドレスは、携帯電話会社等から取得した、端末認証番号に対応するメールアドレスの情報である。
配信希望店舗数は、端末認証番号を送信してきた当該利用者が配信希望する店舗の数である。
店舗コードは、端末認証番号を送信してきた当該利用者が配信希望する店舗の情報である。
なお、店舗情報ＤＢ１９２の店舗情報テーブル、端末番号ＤＢ１９３の端末番号テーブル、軌跡情報ＤＢ１９４の軌跡情報テーブル、および利用者情報ＤＢ１９５の利用者情報テーブルに含まれる店舗コードの情報は、それぞれリンクしている。
【００６３】
情報配信プログラム１８４は、店舗情報ＤＢ１９２に格納される店舗情報テーブルの掲載期間を監視し、掲載期間が到来したことを契機に、当該店舗の軌跡情報を画像に変換する（画像情報作成）。そして、利用者情報ＤＢ１９５の利用者情報テーブルから、当該店舗の広告情報を配信希望している利用者を抽出し、利用者のメールアドレスの情報と、画像に変換した画像情報とをメールサーバ１３へ送信する。メールサーバ１３は、メールアドレスを宛先として、画像情報の掲載されたメール（広告メール）を送信する。これにより、利用者は、希望する店舗の広告メールを携帯電話３０で受信し、閲覧することができる。
【００６４】
図１４は、携帯電話３０で受信する広告メールの画面例である。
これによれば、利用者がリアルタイムに、お買い得情報やイベント情報等の広告情報を取得することが可能となり、積極的に誘客することが可能となる。また、手書きの情報が画像としてメールに表示されることで、画一的なテキスト文字と比べ、広告情報の表現の幅を格段に広げることができ、それにより、利用者の興味を強く引くことが可能となる。
【００６５】
（利用者毎の情報管理）
さらに、本実施形態によれば、利用者毎の購買状態を加味した広告サービスを提供することもできる。
具体的には、利用者情報テーブル（図１３参照）に、例えば７桁（999万人まで管理可能）の文字列または数字列からなる利用者コードを、新規項目として追加する。この利用者コードによって利用者（端末認証番号）を一意に識別する。
【００６６】
そして、携帯電話３０へ送信する広告メールに、この利用者コードの情報を埋め込んだ情報識別コードとして二次元コード（例えば、ＱＲコード（登録商標））を添付して送信する。
【００６７】
一方、産直販売所の店舗には、二次元コードを読み取る機能を備える読取装置を新たに設置し、レジスタ２２へ情報送信可能となるよう接続する。そして、レジスタ２２を、ネットワーク９を介して管理サーバ１０と通信可能に接続させておく。
【００６８】
産直販売所の店舗において、利用者は、買い物の精算時に、広告メールに埋め込まれた二次元コードを携帯電話３０の画面に表示させ、店舗に備えられた読取装置にかざす。読取装置は、携帯電話３０に表示されている二次元コードを読取り、読取った二次元コードから利用者コードを取得して、レジスタ２２へ送信する。レジスタ２２は、受信した利用者コードと、当該利用者の購買品目等を、購買履歴情報として管理サーバ１０へ送信する。管理サーバ１０は、購買履歴ＤＢ（図示せず）等に受信した情報を格納する。この購買履歴ＤＢは、例えば、利用者コード、購買日、購買品目、購買点数等のフィールドを有する。
【００６９】
購買履歴ＤＢに格納された購買履歴情報と、他の様々な情報（例えば、天気等）を用いることで、本部の職員は、産直販売所の各店舗へ利用者の購買傾向を通知することができる。例えば、利用者に「葉物」の購入が多く、しばらく気温の低い状態が続く場合には、「鍋物にお勧めの素材情報」等のイベントを企画し、広告活動を行う。これにより、各店舗では、利用者のニーズに沿った営業戦略を検討することが可能となる。なお、店舗に備えられた読取装置に、利用者が広告メールの二次元コードを積極的にかざすための動機付けを目的とする、買い物割引ポイントの付与等を実施してもよい。
【００７０】
以上説明した本実施形態によれば、産直販売所の店舗の職員がコンピュータ操作に不慣れであっても、デジタルペン２０および携帯電話２１を用いることで、キーボードやボタン等の操作を必要とせずに、簡単に広告情報を管理サーバ１０に送信することができる。さらに、デジタルペン２０と携帯電話２１さえあれば帳票に記入した情報を送信できるので、ファクシミリ等の固定回線を必要とする従来に比べて、その作業場所の自由度は格段に向上する。
【００７１】
さらに、管理サーバ１０は、デジタルペン２０で記入した軌跡情報について、掲載期間等の文字情報は文字認識を行うことでテキスト情報として格納し、また、手書き等の画像情報は軌跡情報として格納する。これにより、システム上の情報検索も容易となる。
【００７２】
管理サーバ１０で管理される軌跡情報は、画像に変換された広告情報として、ＷＷＷサーバ１２によりインターネット上の店舗毎のホームページ上に掲載される。これにより、テキスト文字では表現できない表現が可能となり、さらに、絵や図形等のイメージ情報もそのまま広告情報として表示させることが可能となる。それにより、広告情報に対して、利用者から強い興味や愛着を感じてもらうことが可能となる。
【００７３】
管理サーバ１０で管理される軌跡情報は、画像に変換された広告情報として、メールサーバ１３により広告メールが利用者へメール配信する。これにより、利用者はリアルタイムに広告情報を取得することができる。
【００７４】
（変形例）
本実施形態では、各産直販売所の店舗の店舗名と店舗コードを帳票に予め印刷しておくものとしたが、各店舗で店舗名と店舗コードを記入することとして、それを管理サーバ１０で文字認識することとしてもよい。これによれば、１種類のフォーマットで帳票印刷が（帳票生成）可能となる。
また、帳票印刷（帳票生成）する場所は必ずしも本部である必要は無く、例えば印刷会社で印刷した帳票を各店舗へ配達してもよい。また、各店舗に、管理サーバ１０と通信可能なプリンタを設置し、このプリンタが、管理サーバ１０の帳票定義ＤＢ１９１を参照して帳票を生成してもよい。
【００７５】
本実施形態では、デジタルペン２０の軌跡情報を携帯電話２１で取得し、ネットワーク９経由で管理サーバ１０に送信することで、管理サーバ１０が識別処理を実行する方法を例として説明したが、デジタルペン２０に遠隔通信機能が備えられる場合には、携帯電話２１を介さずに管理サーバ１０へ軌跡情報を送信してもよい。
【００７６】
また、携帯電話２１の記憶部には、各端末を固有に識別する端末番号が予め記憶され、軌跡情報とあわせて管理サーバ１０に送信するものとして説明したが、これに限らず、デジタルペン２０の記憶部に、予め各デジタルペン２０を固有に識別するペン番号を記憶させておき、軌跡情報とあわせて携帯電話２１に送信することとしてもよい。そして、携帯電話２１は、デジタルペン２０から受信したペン番号および軌跡情報を管理サーバ１０に送信する。この場合、管理サーバ１０の端末番号ＤＢ１９３は、端末番号の代わりにデジタルペン２０のペン番号を記憶するものとする。これにより、１つの店舗で複数のデジタルペン２０を使用することが可能となる。
【００７７】
管理サーバ１０は、図３のステップＳ２０で携帯電話２１から情報を受信したら、帳票定義テーブルにおいてエリア属性「画像」のエリアの軌跡情報を画像情報に変換して、携帯電話２１に送信することとしてもよい。これにより、店舗の記入者は、送信した軌跡情報から生成された画像を、携帯電話２１によってすぐに確認することができる。これによれば、記入者の確認が完了してから、管理サーバ１０に軌跡情報が格納されることとなる。
【００７８】
また、携帯電話２１に、帳票定義ＤＢ１９１や軌跡識別プログラム１８２を備えることで、携帯電話２１が軌跡情報の画像変換を行ってもよい。これにより、帳票の記入者は、携帯電話２１の画面上で広告情報の表示状態を確認してから管理サーバ１０へ送信することができる。
【００７９】
さらに、本実施形態では、軌跡情報テーブルに格納される軌跡情報については、送信された情報毎に上書きされるものとして説明したが、上書きせずに履歴管理を行うことで複数の帳票の情報を扱えるようにしてもよい。
また、デジタルペン２０の収集した書き順、筆圧、記入日時等の情報を利用することで、誰がいつ記入したのかを判別することも可能となる。
【００８０】
また、本実施形態では、広告情報は画像情報を含むものとして説明したが、これに限らず、文字情報であってもよい。例えば、管理サーバ１０は、図８で例示したエリアＫの軌跡情報を文字認識して「★今週のオススメは、ズバリ“雪菜”￥１００（３束）  中華風ドレッシングサラダでおいしくいただけます！！」という文字情報を取得する。そして、取得したこの文字情報を、広告情報としてインターネット上に公開したり、利用者へメール配信したりする。
【００８１】
携帯電話２１および携帯電話３０は、ネットワーク９を介して通信可能な装置であればよく、例えば、ＰＤＡ（Personal Digital Assistants）等の携帯情報端末であってもよい。
【００８２】
広告情報を多くの利用者に提供するために、利用者情報を登録するためのホームページのＵＲＬを示す二次元コードを、新聞やチラシ等の広告に印刷してもよい。これにより利用者は、前記二次元コードを携帯電話３０で読み取ることで、簡易に利用者情報を登録するためのホームページに接続できる。
【００８３】
管理サーバ１０の情報配信プログラム１８４の機能を、ＷＷＷサーバ１２にもたせてもよい。このようにすることで、ＷＷＷサーバ１２が、管理サーバ１０の軌跡情報ＤＢ１９４の情報を用いて画像変換を行い、インターネット上に広告情報を掲載することができる。
また、管理サーバ１０の情報配信プログラム１８４の機能および利用者情報ＤＢ１９５を、メールサーバ１３にもたせてもよい。このようにすることで、メールサーバ１３が、管理サーバ１０の軌跡情報ＤＢ１９４の情報を用いて画像変換を行い、メール配信することができる。
これにより、処理の負荷が分散される。
【００８４】
情報配信の変形例として、広告情報をカーナビゲーションシステム（以下、適宜「カーナビ」と記載）に掲載してもよい。
その場合、情報配信プログラム１８４は、軌跡情報ＤＢ１９４の軌跡情報テーブルの情報を画像に変換して、当該店舗の店舗名称、位置情報、広告情報の掲載期間等と共に、カーナビのサービスを行っている機関（例えば、国土交通省等）へ送信する。前記機関では、利用者の現在位置情報をカーナビ等の通信機器から取得し、その位置情報に基づいて、最寄りの店舗の広告情報をカーナビの利用者へ提供する。さらに、当該店舗までのルートをカーナビに通知することとしてもよい。
その他についても、本発明の趣旨を逸脱しない範囲で変形可能である。
【図面の簡単な説明】
【００８５】
【図１】本発明に係る広告システムが適用される一実施形態の構成図である。
【図２】本実施形態における管理サーバの機能の一例を示す図である。
【図３】本実施形態における広告システムにおける管理サーバの処理のフローである。
【図４】デジタルペン専用紙であるドットパターン紙に、帳票用のフォーマットを重ね印刷する様子を模式的に示す図である。
【図５】帳票定義ＤＢに格納される帳票定義テーブルの例を示す図である。
【図６】店舗情報ＤＢに格納される店舗情報テーブルの例を示す図である。
【図７】帳票のレイアウト例を示す図である。
【図８】広告情報の記入例を示す図である。
【図９】端末番号ＤＢに格納される端末番号テーブルの例を示す図である。
【図１０】軌跡情報ＤＢに格納される軌跡情報テーブルの例を示す図である。
【図１１】ホームページに広告情報が掲載された例を示す図である。
【図１２】携帯電話に表示される画面の遷移例を示す図である。
【図１３】管理サーバの利用者情報ＤＢに格納される利用者情報テーブルの例を示す図である。
【図１４】携帯電話で受信する広告メールの画面例である。
【符号の説明】
【００８６】
９      ネットワーク
１０    管理サーバ
１１    プリンタ
１２    ＷＷＷサーバ
１３    メールサーバ
１４    管理端末
１５    送受信部
１６    演算処理部
１７    ＲＡＭ
１８    記憶部
１８１  帳票生成プログラム
１８２  軌跡識別プログラム
１８３  掲載期間登録プログラム
１８４  情報配信プログラム
１８５  利用者情報登録プログラム
１９１  帳票定義ＤＢ
１９２  店舗情報ＤＢ
１９３  端末番号ＤＢ
１９４  軌跡情報ＤＢ
１９５  利用者情報ＤＢ
２０    デジタルペン
２１    携帯電話
２２    レジスタ
３０    携帯電話
【図１】
2008204363.tif 000003
【図２】
2008204363.tif 000004
【図３】
2008204363.tif 000005
【図４】
2008204363.tif 000006
【図５】
2008204363.tif 000007
【図６】
2008204363.tif 000008
【図７】
2008204363.tif 000009
【図８】
2008204363.tif 000010
【図９】
2008204363.tif 000011
【図１０】
2008204363.tif 000012
【図１２】
2008204363.tif 000013
【図１３】
2008204363.tif 000014
【図１４】
2008204363.tif 000015
【図１１】
2008204363.tif 000016